(57)【特許請求の範囲】
【請求項１】
土中に埋設される杭体の上端部分に固定可能な固定手段と、前記固定手段を取り外し可能な解除手段とを設けたヤットコであって、
前記固定手段は、前記ヤットコの本体部に対して回動可能に組み付けられた回動盤と、この回動盤を回動させる解除部と、上端から操作することにより前記解除部を操作可能な操作部とから構成され、前記回動盤を前記操作部の操作により前記杭体の上端に係合する係合位置から前記杭体の上端に着脱可能な着脱可能位置まで回動させることにより、前記固定手段を前記杭体から取り外し可能としたことを特徴とするヤットコ。
【請求項２】
土中に埋設される杭体の上端部分に固定可能な固定手段と、前記固定手段を取り外し可能な解除手段とを設けたヤットコであって、
前記解除手段は、このヤットコの上端側からヤットコの軸方向に沿って操作することによって、前記固定手段を前記杭体から取り外し可能としたことを特徴とするヤットコ。
【請求項３】
前記固定手段は、前記ヤットコの本体部に対して回動可能に組み付けられた回動盤と、この回動盤を回動させる解除部と、前記ヤットコの上端側から前記ヤットコの軸方向に沿って操作することにより前記解除部を操作可能な操作部とから構成され、前記回動盤には、前記杭体の上面から突設されたボルトの頭部を遊挿可能な遊挿溝とこの遊挿溝から回動盤の径方向に連接されると共に前記ボルトの頭部よりも小径な係合溝とが設けられた連接溝が設けられており、前記回動盤は、前記ボルトの頭部が前記遊挿溝に位置する着脱可能位置と前記ボルトの頭部が前記係合溝に係合する係合位置との間を回動可能とされている一方、前記操作部を操作することにより、前記解除部が前記係合位置にある前記回動盤を前記着脱可能位置に至るまで回動させることを特徴とする請求項２に記載のヤットコ。
【発明の詳細な説明】
【０００１】
【発明の属する技術分野】
本発明は、ヤットコに関するものである。
【０００２】
【従来の技術】
図１９及び図２０には、実開平２−１２０５２８号に開示されているヤットコ１００を示した。このヤットコ１００は、略円筒状に形成されており、杭体１０１の上端面に杭体１０１と同心状に取り付けられて、杭体１０１と共に土中に埋設される。そして、ヤットコ１００の上端部の付近まで埋設作業が進行すると、その状態で、ストッパ１０３によって台木１０２を係止させて、ヤットコ１００及び杭体１０１が土中に沈み込まないように支持させておく。適当な時間が経過すると、杭体１０１が周囲の土によって保持されるので、ストッパ１０３と台木１０２とを取り外し、ヤットコ１００のみを杭体１０１から取り外し、地上に取り出す。
【０００３】
ここで、ヤットコ１００と杭体１０１とは、四本の長軸ボルト１０４によって固定されている。杭体１０１の埋設作業が完了すると、ヤットコ１００の上端部近くまで埋設されるため、長軸ボルト１０４の長さは、ヤットコ１００の長さとほぼ同等でなければならない。このため、長軸ボルト１０４には強度と長さとが必要となり、高価なものとなっていた。また、長軸ボルト１０４は、１メートル〜数メートルの長さとなるため、取り外し操作に手間が掛かっていた。さらに、長軸ボルト１０４は、ヤットコ１００の外面に露出した状態であるため、杭体１０１の埋設作業中や現場において、他のものに当たって変形してしまうこともあった。
【０００４】
このような問題点を解決するために開発されたものを図２１〜図２６に示した（実開平４−１１９８３１号）。ヤットコ１１０の下端部には、図２１に示すように、Ｌ字状の係合部１１３が設けられている。一方、杭体１１２の上端部には、係合部１１３によって係合可能な受け部１１４（ボルトとナット）が突設されている。両部１１３，１１４を係合させると、図２２に示すように、ヤットコ１１０は杭体１１２の軸方向に対して抜け止めされた状態となる。
また、ヤットコ１１０の上端部には、図２３に示すように、中心を挟んで対向する位置に一対の凹部１１５を設けたフランジ部１１６が設けられている。この上端部には、キャップ状の取り外し治具１１１が被せ付けられるようになっている。取り外し治具１１１の内部には、図２４に示すように、凹部１１５に嵌まり込む一対の突部１１７が設けられている。
ヤットコ１１０を杭体１１２の上面に取り付けた状態で、杭体１１２の埋設作業を行い、その後にヤットコ１１０の上面側に取り外し治具１１１を被せ付け、係合部１１３が受け部１１４から外れる方向に取り外し治具１１１を回転させることにより、係合部１１３と受け部１１４との係合を解除させて、ヤットコ１１０を地上に取り出す。
【０００５】
【発明が解決しようとする課題】
ところで、上記の取り外し治具１１１を回転させるには、図示しない打設機を使用しなければならない。この打設機は、杭体１１２の埋設作業の現場において、杭体１１２の内部に進入するスクリューを回転させるために使用されているものである。通常の作業現場では、杭体１１２は、例えば数十本以上の多数のものを埋設する必要がある。一方、打設機は大型のものであるため、複数の打設機を作業現場に並置させるのではなく、一台のものを杭体１０１の埋設場所に移動しながら作業を進行させることが多い。つまり、一本の杭体１０１を埋設したら、ヤットコ１１０を台木とストッパとによって地上に係止させておき、その間に打設機は別の杭体１０１の埋設作業を行うという手順で、順々に埋設作業が進行して行く。
【０００６】
ところが、取り外し治具１１１でヤットコ１１０を取り外すためには、いったん別の杭体１０１の埋設場所に移動させた打設機を再度、地上に取り出すヤットコ１１０の場所に移動させねばならず、大型の打設機が作業現場内をあちらこちらに移動することとなり、効率的な作業を行い難い。
本発明は、上記した事情に鑑みてなされたものであり、その目的はヤットコを地上に取り出す際に、長軸ボルトや大型の打設機を必要とすることなく、作業性を向上させることが可能なヤットコを提供することにある。
【０００７】
【課題を解決するための手段】
上記の課題を解決するために請求項１の発明に係るヤットコは、土中に埋設される杭体の上端部分に固定可能な固定手段と、前記固定手段を取り外し可能な解除手段とを設けたものであって、前記固定手段は、前記ヤットコの本体部に対して回動可能に組み付けられた回動盤と、この回動盤を回動させる解除部と、上端から操作することにより前記解除部を操作可能な操作部とから構成され、前記回動盤を前記操作部の操作により前記杭体の上端に係合する係合位置から前記杭体の上端に着脱可能な着脱可能位置まで回動させることにより、前記固定手段を前記杭体から取り外し可能としたことを特徴とする。
操作部とは、必ずしも直接的な接触によって回動盤を係合位置から着脱位置に回動させるものだけでなく、例えば解除部としてピストンを備えたものを用意しておき、上端からリモコン操作によってそのピストンを駆動させて回動盤を回動させるものであってもよい。
請求項２の発明に係るヤットコは、土中に埋設される杭体の上端部分に固定可能な固定手段と、前記固定手段を取り外し可能な解除手段とを設けたものであって、前記解除手段は、このヤットコの上端側からヤットコの軸方向に沿って操作することによって、前記固定手段を前記杭体から取り外し可能としたことを特徴とする。
解除手段の操作方向としては、ヤットコの軸方向に沿って牽引する場合の他に、軸方向に沿って押圧する場合も含む。但し、押圧する場合には、硬質な棒状体やピストン等の高価或いは複雑な構成を必要とするのに比べ、牽引する場合には、例えば鎖体のように、引張力を伝達可能なものを備えればよいので、安価かつ簡易な構成で済むのでより良好な手段となる。また、牽引する場合には、ヤットコを地上に取り出す操作と、固定手段の取り外し操作とを兼ねる構成とすることが可能であるので、より良好な手段とできる。
【０００８】
請求項３の発明は、請求項２に記載のものであって、前記固定手段は、前記ヤットコの本体部に対して回動可能に組み付けられた回動盤と、この回動盤を回動させる解除部と、前記ヤットコの上端側から前記ヤットコの軸方向に沿って操作することにより前記解除部を操作可能な操作部とから構成され、前記回動盤には、前記杭体の上面から突設されたボルトの頭部を遊挿可能な遊挿溝とこの遊挿溝から回動盤の径方向に連接されると共に前記ボルトの頭部よりも小径な係合溝とが設けられた連接溝が設けられており、前記回動盤は、前記ボルトの頭部が前記遊挿溝に位置する着脱可能位置と前記ボルトの頭部が前記係合溝に係合する係合位置との間を回動可能とされている一方、前記操作部を操作することにより、前記解除部が前記係合位置にある前記回動盤を前記着脱可能位置に至るまで回動させることを特徴とする。
【０００９】
【発明の作用、および発明の効果】
請求項１の発明によれば、上端から操作手段を操作することにより、解除手段によって回動盤を着脱位置の方向に回動させられるので、従来のように大型の回転式打設機を必要としない。このため、従来のように固定用ボルトを人手を介して取り外したり、大型の回転式打設機で取り外し治具を径方向に回転させる手間がなく、ヤットコの取り外しの操作性が向上する。
請求項２の発明によれば、解除手段をヤットコの軸方向に沿って操作することにより固定手段の固定が外れて、ヤットコと杭体とが分離できる。このため、従来のように固定用ボルトを人手を介して取り外したり、大型の回転式打設機で取り外し治具を径方向に回転させる手間がなく、取り外しの操作性が向上する。
【００１０】
請求項３の発明によれば、ヤットコと杭体とを固定するには、杭体の上面から突設されたボルトの頭部を回動盤の遊挿溝に挿入しておき、回動盤を係合位置に回動させる。すると、ボルトの頭部が係合溝に係合して、ヤットコと杭体とが固定される。
また、ヤットコを杭体から取り外すには、操作部をヤットコの軸方向に沿って操作する。すると、解除部が回動盤を係合位置から着脱可能位置に回動させて、ボルトの頭部が連接溝の遊挿溝に位置するので、ここでヤットコを上側に引っ張ることにより、ヤットコを杭体から分離させることができる。
ボルトは、杭体の上面に突設させておけばよいので、従来のように長軸ボルトを使用する必要がない。このため、特殊な材質の高価な長軸ボルトが不要となる。また、短軸の安価なボルトを使用できるので、そのボルトを再使用することなく、杭体の上面に取り付けたまま土中に残しておいてたとしても、従来のヤットコに比べるとコストを低下させることが可能となる。
【００１１】
【発明の実施の形態】
＜第１実施形態＞
次に、図１〜図１４を参照しつつ、本発明の第１実施形態について詳細に説明する。本実施形態のヤットコ１は、杭体２の上端面に取り付けられた状態で、土中に埋設されるものである。杭体２は、コンクリートによって上下に開放する円筒状に形成されており、両端面に鋼製の端面金具が設けられている（なお、本発明は、コンクリート製の杭体の外周面が鋼管で覆われたコンクリートと鋼管の複合杭体に対しても応用できることはもちろんである。）その杭体２の上端面には、図１に示すように、四本のボルト３が同心円状に均等に配置されている。ボルト３の頭部３Ａは、六角形状とされており、その下方の軸部３Ｂよりも大径とされている。
【００１２】
次に、図２〜図４を参照しつつ、ヤットコ１の構成について詳細に説明する（なお、図２等には、ヤットコ１において、本発明の要部のみを示し、ヤットコ１の全体図は図１３に示した。）。ヤットコ１は、図２に示すように、杭体２とほぼ同径を備えた略円筒状に形成されている。ヤットコ１には、略円筒状の本体部４と、この本体部４の下端部付近に取り付けられた回動盤５と、この回動盤５を回動させる解除部６と、この解除部６の先端に取り付けられる鎖体７とが設けられている。本体部４には、杭体２の筒孔２Ａの径とほぼ同径の筒孔８Ａを備えた筒部８と、この筒部８の上下端部において径方向外側に張り出す一対のフランジ部９，１０とが設けられている。このうち、上側のフランジ部９には、上下方向に貫通するボルト孔１１と鎖遊挿孔３３とが周方向に沿って適当に配置されている。
【００１３】
このうち、ボルト孔１１は、ヤットコ１の上面側に他の筒状体１２を接続するために使用される。つまり、埋設工事の際には、その杭体２の上端面をどの程度の深さまで土中に埋設するかが決定されており、その深さに合わせてヤットコ１の長さを決定する必要がある。杭体２の上端面の位置としては、土中に埋設する場合には、土中約１メートル程度まで埋設するのが最も浅い深さであり、それ以上の深さ（例えば、２メートル〜４メートル）となることもある。このため、ヤットコ１の長さは、最低限必要となる長さに合わせて、約１メートルとされており、それ以上の長さが必要な場合には、他の筒状体１２（図１３又は図１４を参照）をヤットコ１の上端面に接続することにより、土中の深さを稼ぐようにしている。このようにすれば、杭体２の上端面に接続されるヤットコ１は一種類で済むのである。また、鎖遊挿孔３３は、従来は長軸ボルト１０４を遊挿するために用いられていたものであり、本実施形態においては、後述する鎖体７を上下方向に遊挿するために使用される。
【００１４】
また、下側のフランジ部１０には、図３に示すように、同様に上下方向に貫通する四個の遊挿孔１３が周方向に沿って均等に設けられている。各遊挿孔１３は、周方向に沿って長径の長円状に形成されている。また、各遊挿孔１３の内径は、ボルト３の頭部３Ａの外径よりも大きく形成されており、頭部３Ａが遊挿可能とされている。
また、上側フランジ部９の下面において、中心を挟んで対向する位置には、一対の取付片１４が設けられている。各取付片１４は、上側フランジ部９の外縁とほぼ同じ位置まで突設されていると共に、筒部８の外周面に沿って下側フランジ部１０の方向に向かって延設されている。各取付片１４には、上下方向に沿って均等間隔でストッパ取付孔１５が開放されている。このストッパ取付孔１５には、杭体２の土中への埋設作業が完了した後にヤットコ１を取り外すまでの間に、ストッパ（図示せず）が取り付けられることにより、ヤットコ１及び杭体２を所定の深さ位置に保持する。
【００１５】
取付片１４の下端縁１４Ａと下側フランジ部１０との間には、所定の間隔が設けられており、ここには回動盤５が取り付けられている。回動盤５は、図４に示すように、略ドーナツ形状に形成されている。回動盤５の内径は、本体部４の外径よりも僅かに大きく、かつ回動盤５の外径は、上下のフランジ部９，１０の外径とほぼ同等とされており、回動盤５は本体部４に対して回動可能に組み付けられている。この回動盤５には、周方向に沿って四個の連接溝１６が均等間隔に設けられている。
【００１６】
各連接溝１６は、回動盤５を上下方向に貫通しており、より大径の遊挿溝１７と、より小径の係合溝１８とが周方向に連接されて状態とされている。遊挿溝１７は、下側フランジ部１０に設けられた遊挿孔１３とほぼ同形状に形成されており、ボルト３の頭部３Ａよりも大径とされている。一方、係合溝１８は、遊挿溝１７から回動盤５の周方向に沿って連接されている。また係合溝１８の幅は、ボルト３の軸部３Ｂの外径よりも大きく、かつ頭部３Ａの外径よりも小さく形成されており、係合溝１８の側縁にボルト３の頭部３Ａが係合可能とされている。また、係合溝１８の両側縁には、遊挿溝１７に連接する側から遠ざかる側に向かって案内面１８Ａが設けられており、ボルト３の頭部３Ａを円滑に案内するようになっている。
【００１７】
また、遊挿溝１７において、係合溝１８が設けられている方向とは逆側の縁部には、遊挿溝１７の溝縁にそって、規制縁部１９が突設されている。この引っ掛かり規制縁部１９の上端縁は、ヤットコ１が杭体２の上面に載置されたときに、ボルト３の頭部３Ａよりも高い位置となるように突設されている。ヤットコ１を杭体２から取り外すときに、ボルト３の頭部３Ａが引っ掛かり規制縁部１９の内側に当接することによって、頭部３Ａが遊挿溝１７の外縁に引っ掛かることを規制し、ヤットコ１の円滑な取り外し作業を可能としている。
【００１８】
また、回動盤５の上面側には、引っ掛かり規制縁部１９に隣接して（より正確には、引っ掛かり規制縁部１９が設けられている遊挿溝１７において、係合溝１８が連接されている側とは逆側に隣接して）、押し込み壁２０が突設されている。この押し込み壁２０は後述する解除部６の作用端部２１が押圧することで、回動盤５を回動させる（詳細については、後述する）。
【００１９】
次に、回動盤５を回動させる解除部６の構成について説明する。筒部８の外面において、一対の取付片１４の中間部分には、下端部付近に一対のストッパ突部２２が突設されている（なお、図２等には、一つのストッパ突部２２のみを示すが、逆の面側にも同一の構成が設けられている。）。図２において、ストッパ突部２２の左側方には、軸部２３が突設されている。この軸部２３を回動中心として、解除部６が回動可能に取り付けられている。解除部６は、長腕２４と短腕２５とが互いの一方側の端部で接続された略Ｌ字状に形成されている。長腕２４先端の引っ張り端部２７には、鎖体７（本発明における操作部に該当する）が取付けられている。一方、短腕２５の先端側が前述の作用端部２１とされている。また、両腕２４，２５の接続部分において、Ｌ字状の内側部分には、軸受部２６が設けられており、その軸受部２６が軸部２３に対して回動可能に取り付けられている。鎖体７が上方に引っ張られていないときには、解除部６は、回動中心である軸部２３に対して、長腕２４の引っ張り端部２７が下方に位置するようになっており、図２に示すように、長腕２４のほぼ中央部分がストッパ突部２２に当接することにより、位置決めがなされている。また、ストッパ突部２２の下方には、回動盤ストッパ３２が突設されている。この回動盤ストッパ３２は、回動盤５の押し込み壁２０に当接可能な位置に設けられている。
【００２０】
また、筒部８の外面において、鎖体７の上方には、コ字状の補助部２８が溶着されており、その補助部２８と本体部４の外面とで形成される空間内に鎖体７が遊挿されている。この補助部２８は、筒部８の周方向に沿って四個のものが均等に、同じ高さ位置に配置されている。正確には、この補助部２８は、従来例において長軸ボルト１０４を遊挿させて、位置決め及び保護のために使用していたものをそのまま使用したものであり、本実施例のヤットコ１において新たに設けた構成ではない。このため、従来の構成をそのまま有効に利用しつつ、ヤットコ１に加える変更が最小限で済むようにしている。なお、本実施形態において、補助部２８と鎖遊挿孔３３と遊挿孔部１３とは、従来には長軸ボルト１０４を遊挿するために使用されていたものであり、本体部４の軸方向に沿って同一直線状に配置されている。
【００２１】
次に上記のように構成された本実施形態の作用および効果について、図５〜図１４を参照しつつ、詳細に説明する。
まず、ヤットコ１において、回動盤５を適当に回動させておき、下側フランジ部１０の遊挿孔１３と回動盤５の遊挿溝１７との位置を整合させた着脱可能位置としておく。一方、ボルト３を弛める方向（杭体２の上面から飛び出す方向）に適当に回動させ、回動盤５の上面位置よりもボルト３の頭部３Ａの位置を高くしておき、回動盤５が円滑に回動できるようにしておく。そして、ヤットコ１を杭体２の上面側に載置しながら、杭体２の上面から突設されたボルト３の頭部３Ａを、遊挿孔１３と遊挿溝１７とに挿入する。すると、四本のボルト３が下側フランジ１０と回動盤５とを貫通した状態で、ヤットコ１が杭体２の上面に載置される（図５〜図７を参照）。
【００２２】
次に、回動盤５を図５〜図７中の矢印Ｒ方向に回動させて、図８〜図１０に示すように、ボルト３の軸部３Ｂが係合溝１８に嵌まり込むようにする。回動盤５を所定の位置まで回動させたところで、ボルト３を締める方向（杭体２の上面に埋設する方向）に適度に回動させる。すると、頭部３Ａと係合溝１８の両側縁との間の摩擦力によって、適度な接圧で回動盤５の回動が規制された係合位置となる（なお、上記の説明は、四本のボルト３頭部３Ａの位置が、回動盤５上面の位置よりも高い位置まで弛められていた場合のものである。ところで、ボルト３の弛め・締め操作を行う場合には、なるべく回転数を減らそうとするのが操作性が良好となる。そこで、ボルト３頭部３Ａの位置を回動盤５上面の位置よりも僅かに（ぎりぎりに）高くなるように設定しておくことが考えられる。そのような場合には、回動盤５の回動操作に伴って、四本のボルト３のうち最も低い位置に突設されたボルト３頭部３Ａが、係合溝１８の両側縁に当接する。そこで残りの三本のボルト３を締める方向に回動させればよい。このように、頭部３Ａが係合溝１８の両側縁に接触する位置にあるときには、頭部３Ａは案内面１８Ａに案内されると共に、案内面１８Ａの上側に乗り上げながら回動操作が行われるので、円滑な回動操作が可能となっている。）この係合位置では、ボルト３の頭部３Ａが係合溝１８に係合することにより、ヤットコ１と杭体２とが固定されている。
【００２３】
このようにしてヤットコ１と杭体２とが固定された状態で、杭体２（及びヤットコ１）の埋設作業が進められる。この埋設作業については、詳細には示さないが、従来より公知な方法、つまりヤットコ１及び杭体２の内部にスクリュー２９（図１４にのみ示す）が貫通され、そのスクリュー２９が打設装置によって所定の方向に回転しながら、土を掘り進むと共に、杭体２が埋設される。
こうして、所定の深度まで杭体２の埋設作業が進行したところで、ヤットコ１のストッパ取付孔１５にストッパ（図示せず）が取り付けられた後に、打設装置がスクリュー２９から取り外される。この打設装置は、別の杭体２の埋設作業に取り掛かる。一方、杭体２及びヤットコ１は、ストッパによって係止された状態で、所定の時間だけ保持させておくことで、杭体２の周囲の土が杭体２に密着し、ヤットコ１を取り外しても杭体２を保持できるだけの強度が確保される。そこで、次にヤットコ１を杭体２から取り外す作業に進む。
【００２４】
ヤットコ１を杭体２から取り外すには、図１１に示すように、地上から鎖体７をヤットコ１の軸方向に沿って（図中矢印Ｓ方向）引っ張り操作する。すると、解除部６の引っ張り端部２７が鎖体７によって引っ張られると共に、解除部６全体が軸部２３を回動中心として矢印Ｔの方向に回動し、作用端部２１が回動盤５の押し込み壁２０に当接して矢印Ｕの方向に押圧する。この押圧力は、回動盤５を係合位置から着脱可能位置の方向に回動するように作用するので、（ヤットコ１の本体部４はそのままの状態、或いは僅かに矢印方向に回動するがほぼそのままの状態で）回動盤５のみが着脱可能位置の方向に回動する。こうして、鎖体７の牽引操作によって回動盤５が回動し、押し込み壁２０が回動盤ストッパ３２に当接すると着脱可能位置に至ることで回動操作が完了する。この着脱可能位置に至ると、ボルト３の頭部３Ａが連接溝１６の遊挿溝１７に位置しているので、ヤットコ１を上側に引っ張ることにより、ヤットコ１を杭体２から分離させて地上に引き上げることができる（図１１及び図１２を参照）。
【００２５】
なお、本実施形態では、ヤットコ１の長さは、杭体２の上端面を地中に埋設するのに必要最小限の長さとされている。一方、杭体２を埋設する深さは、現場の仕様によって異なるために、ヤットコ１の長さを変化できることが好ましい。このためには、図１３に示すように、ヤットコ１の上端側に他の筒状体１２を固定することで対応できる。他の筒状体１２は、上下方向に貫通する略円筒状のものであり、従来に使用していたヤットコをそのまま使用して、ボルトとナット３１とによって固定することができる。このため、最短長さのヤットコ１を一種類用意しておけば、杭体２上面の埋設深さが異なる様々な現場に使用できる。なお、説明を簡易とするために、他の筒状体１２において、ヤットコ１と同一の構成には同一の符号を付して、説明を省略する。
【００２６】
また、本実施形態においては、一対の解除部６に取り付けられた二本の鎖体７は、図１４に示すように、ヤットコ１の上端部分において連結されており、一つの牽引体３０によって引っ張られるようになっている。鎖体７による回動盤５の回動操作とヤットコ１の引き上げ操作とは、一連の操作として行われるようになっており、牽引体３０が鎖体７を引っ張ると、初期には回動盤５の回動操作が行われてヤットコ１と杭体２との係合が解除され、回動盤５が着脱可能位置に至った後にはヤットコ１の引き上げ操作が行われる。
なお、牽引体３０は、クレーン（図示せず）の先端に取り付けられている。クレーンは、打設機よりも小型であるので、打設現場には数台のものが配置されており、それらをヤットコ１の引き抜き操作のために現場内をあちらこちらに移動させることは、従来例においても行われており、それほど邪魔な作業ではない。
【００２７】
このように本実施形態によれば、鎖体７を介して解除部６をヤットコ１の軸方向に沿って操作することにより、ヤットコ１と杭体２との固定が解除されて、ヤットコ１が杭体２から外れるので、従来のように長軸ボルト１０４を人手を介して取り外したり、大型の回転式打設機で取り外し治具１１１を径方向に回転させる手間がなく、取り外しの操作性が向上する。
【００２８】
また、ボルト３は、杭体２の上面に突設させておけばよいので、従来のように長軸ボルト１０４を使用する必要がない。このため、特殊な材質の高価な長軸ボルト１０４が不要となる。また、短軸の安価なボルト３を使用できるので、そのボルト３を再使用することなく、杭体２の上面に取り付けたまま土中に残しておけば良い。そのようにしても、従来のヤットコに比べるとコストを低下させることが可能となる。
【００２９】
＜第２実施形態＞
次に、本発明の第２実施形態について、図１５及び図１６を参照しつつ説明する。なお、本実施形態と第１実施形態とにおいて、同一の構成には同一の符号を付して説明を省略する。
【００３０】
本実施形態では、回動盤５の上面において遊挿溝１７の近傍には、一対の駆動軸４６（ボルト）が設けられている。図１５及び図１６には、一方側の駆動軸４６のみを示すが、図示しない反対の面側にも同一の構成が設けられている。詳細には図示しないが、回動盤５の面上には、径方向に対向するようにして一対の受け部４７が溶着されており、その両受け部４７の間を架設するようにして、駆動軸４６が回動盤５の径方向に延設されている。なお、符号４０及び４１は、駆動軸４６の頭部の回転を規制する回動規制板４１と、その回動規制板４１を受け部４７のボルト孔（図示せず）に止め付けるボルト４０である。
また、解除部４２は、略ヘ字状の一枚の板材によって形成されており、その中央部分が軸部２３を回動中心として回動可能に軸支されている。解除部４２の一方の端部である引っ張り端部４３には、鎖体７が接続されている。また、他方の端部である作用端部４４には、長孔４４Ａが設けられており、この長孔４４Ａ内に駆動軸４６が貫通している。
【００３１】
図１６に示す係合位置にある回動盤５を、図１５に示す着脱可能位置に回動させるには、鎖体７を上方に（すなわち、ヤットコ１の軸方向に沿って）引っ張ることにより、引っ張り端部４３を引き上げ、解除部４２を軸部２３を回動中心として図１６中に示す矢印Ｂ方向に回動させる。すると、解除部４２の長孔４４Ａの孔縁が駆動軸４６を押圧することにより、回動盤５を矢印Ｃの方向（係合位置から着脱可能位置）に回動させる。
このように構成された本実施形態によっても、第１実施形態と同様の作用および効果を奏することができる。
【００３２】
＜第３実施形態＞
次に、本発明の第３実施形態について、図１７及び図１８を参照しつつ説明する。なお、本実施形態と第１実施形態とにおいて、同一の構成には同一の符号を付して説明を省略する。
【００３３】
本実施形態では、回動盤５は設けられておらず、ヤットコ１の下端部には本体部４の下側フランジ部１０のみが設けられている。また、本体部４の高さ方向において中央やや下端部よりの位置には、各遊挿孔１３の上方に軸部２３が設けられている（つまり、本実施形態では、本体部４の周方向に沿って四個の軸部２３が均等間隔で突設されていることになる）。各軸部２３には、回転部材５０が軸部２３を回転中心として回転可能に軸止めされている。回転部材５０の下端側には、係合部材５１（本発明における固定手段に該当する）が、ボルト５２を回動中心として、回転部材５０に対して僅かに回動可能に取り付けられている。係合部材５１の先端側は、ボルト３の軸部３Ｂを挟持可能な二股状とされて、係合溝５１Ａが設けられている。
【００３４】
また、回転部材５０において軸部２３の側方には、操作軸５３（本発明における解除手段に該当する）が連結されている。操作軸５３の下端部には、断面コ字状のブラケット５４が固定されており、そのブラケット５４の内部に回転部材５０の一部が収容された状態で、ボルト５５がブラケット５４と回転部材５０とを貫通するようにして取り付けられている。
【００３５】
なお、各回転部材５０は、図示、互いに内側に（互いに係合部材５１を近接させる方向に）回転することで、係合部材５１とボルト３との係合が解除するように対称的な位置に設けられている。
図１８に示す係合位置では、係合溝５１Ａの内部にボルト３の軸部３Ｂが挟み込まれてヤットコ１と杭体２とが固定されている。この係合位置から係合部材５１とボルト３との係合を解除するには、操作軸５３を図中の矢印Ｄ方向に（すなわちヤットコ１の軸方向に）牽引する。操作軸５３の牽引により、回転部材５０が矢印Ｅ方向に回転し、これによって係合部材５１とボルト３との係合を解除できる。こうして、係合部材５１が着脱可能位置に至る。
【００３６】
このように構成された本実施形態によれば、操作軸５３をヤットコ１の軸方向に沿って操作することにより、係合部材５１とボルト３との係合が解除されるので、ヤットコ１を杭体２から外すことができる。このため、従来のように長軸ボルト１０４を人手を介して取り外したり、大型の回転式打設機で取り外し治具１１１を径方向に回転させる手間がなく、取り外しの操作性が向上する。
本発明の技術的範囲は、上記した実施形態によって限定されるものではなく、その要旨を変更することなく様々に変更して実施することが可能である。その他、本発明の技術的範囲は、均等の範囲にまで及ぶものである。
【図面の簡単な説明】
【図１】第１実施形態において、杭体の上端部分を示す斜視図
【図２】ヤットコの回動盤付近の側面図
【図３】図２におけるＡ−Ａ線断面図
【図４】回動盤の平面図
【図５】ヤットコを杭体の上端面に載置したときの斜視図
【図６】ヤットコを杭体の上端面に載置したときの側面図
【図７】回動盤が着脱可能位置にあるときのボルトと連接溝との位置関係を示す平面図
【図８】回動盤を係合位置に回転させたときのボルトと連接溝との位置関係を示す平面図
【図９】ヤットコを杭体の上端面に載置し、回動盤を係合位置にしたときの斜視図
【図１０】ヤットコを杭体の上端面に載置し、回動盤を係合位置にしたときの側面図
【図１１】鎖体を上方に引っ張り、解除部を介して回動盤を係合位置から着脱可能位置に回動させたときの側面図
【図１２】鎖体を上方に引っ張り、ヤットコを杭体の上端面から取り外したときの側面図
【図１３】ヤットコと他の筒状体とを連結したときの側面図
【図１４】鎖体を上方に引っ張り、ヤットコを土中から地上に持ち上げる様子を示した側断面図
【図１５】第２実施形態において、ヤットコを杭体の上端面に載置したときの斜視図
【図１６】回動盤を係合位置に回動させて、ヤットコと杭体とを固定したときの斜視図
【図１７】第３実施形態において、ヤットコを杭体の上端面に載置したときの斜視図
【図１８】固定手段によって、ヤットコと杭体とを固定したときの斜視図
【図１９】従来例において、ストッパでヤットコを地面上に固定したときの様子を示す図
（Ａ）平面図
（Ｂ）側断面図
【図２０】従来例において、ヤットコを取り外すときの様子を示した側断面図
【図２１】従来例において、ヤットコの下端部分を示す斜視図
【図２２】従来例において、ヤットコと杭体との接合部分を示す側面図
【図２３】従来例において、ヤットコの上端部分を示す斜視図
【図２４】従来例における取り外し治具の側断面図
【図２５】従来例において、取り外し治具をヤットコの上端面に取り付けたときの側断面図
【図２６】従来例において、杭体の埋設作業を完了し、ヤットコを取り外すときの様子を示した側面図
【符号の説明】
１…ヤットコ
２…杭体
３…ボルト
３Ａ…ボルトの頭部
４…本体部
５…回動盤（固定手段）
６…解除部（解除手段）
７…鎖体（操作部）
１６…連接溝
１７…遊挿溝
１８…係合溝
５１…係合部材（固定手段）
５３…操作軸（解除手段）
【図１】
0003626408.tif 000002
【図２】
0003626408.tif 000003
【図３】
0003626408.tif 000004
【図４】
0003626408.tif 000005
【図５】
0003626408.tif 000006
【図６】
0003626408.tif 000007
【図７】
0003626408.tif 000008
【図８】
0003626408.tif 000009
【図９】
0003626408.tif 000010
【図１０】
0003626408.tif 000011
【図１１】
0003626408.tif 000012
【図１２】
0003626408.tif 000013
【図１３】
0003626408.tif 000014
【図１４】
0003626408.tif 000015
【図１５】
0003626408.tif 000016
【図１６】
0003626408.tif 000017
【図１７】
0003626408.tif 000018
【図１８】
0003626408.tif 000019
【図１９】
0003626408.tif 000020
【図２０】
0003626408.tif 000021
【図２１】
0003626408.tif 000022
【図２２】
0003626408.tif 000023
【図２３】
0003626408.tif 000024
【図２４】
0003626408.tif 000025
【図２５】
0003626408.tif 000026
【図２６】
0003626408.tif 000027